(57)【要約】【課題】組立状態で光ファイバのコア偏心の調整をすることができる光コネクタプラグ及び光コネクタプラグ用組立体を提供する。【解決手段】光ファイバ１を保持するフェルール用筒状体１２及びフェルール用筒状体１２の後端部に設けられたつば部材１３を有するフェルール１４と、フェルール１４を先端部側へ押圧する圧縮ばね１６と、フェルール１４及び圧縮ばね１６とを内部に保持する光コネクタ用ハウジングとからなる光コネクタプラグ１０において、光コネクタ用ハウジングとフェルール１４との間に介装され且つつば部３０と相互に係合してフェルール１４に対する相対的な回転が規制されるがフェルール１４と共に光コネクタ用ハウジングの中で回転可能な位置決め部材１５を具備し、その位置決め部材１５を光コネクタ用ハウジングに対して固定可能に設けるようにした。【選択図】　　図２
2004126371.tif 000002
【特許請求の範囲】
【請求項１】
光ファイバを保持するフェルール用筒状体及び該フェルール用筒状体の後端部に設けられたつば部を有するフェルールと、該フェルールを先端部側へ押圧する圧縮ばねと、前記フェルール及び前記圧縮ばねとを内部に保持する光コネクタ用ハウジングとからなる光コネクタプラグにおいて、
前記光コネクタ用ハウジングと前記フェルールとの間に介装され且つ前記つば部と相互に係合して前記フェルールに対する相対的な回転が規制されるが当該フェルールと共に前記光コネクタ用ハウジングの中で回転可能な位置決め部材を具備し、該位置決め部材は前記光コネクタ用ハウジングに対して固定可能に設けられていることを特徴とする光コネクタプラグ。
【請求項２】
請求項１において、前記位置決め部材は、前記フェルールと共に回転されて前記光ファイバのコア偏心を所定位置に位置決めした後に前記光コネクタ用ハウジングに対して固定されることを特徴とする光コネクタプラグ。
【請求項３】
請求項１において、前記光ファイバは偏波保存光ファイバであり、前記位置決め部材は、前記フェル−ルとともに回転されて前記偏波保存光ファイバの偏波面方向を所定位置に位置決めした後に前記光コネクタ用ハウジングに対して固定されることを特徴とする光コネクタプラグ。
【請求項４】
請求項１〜３の何れかにおいて、前記位置決め部材は、前記光コネクタ用ハウジングに固定された後も前記フェルールの前記圧縮ばねが縮む方向の動きを規制しないことを特徴とする光コネクタプラグ。
【請求項５】
請求項１〜４の何れかにおいて、前記光コネクタ用ハウジングは、前記圧縮ばねを支持するストッパと、当該ストッパと係合するプラグハウジングとからなることを特徴とする光コネクタプラグ。
【請求項６】
請求項１〜５の何れかにおいて、前記つば部はキー溝を具備し、前記位置決め部材は前記キー溝と係合する係合突起を具備していることを特徴とする光コネクタプラグ。
【請求項７】
請求項１〜５の何れかにおいて、前記つば部は外周部に多面体を具備し、前記位置決め部材は前記多面体と係合する係合突起を具備していることを特徴とする光コネクタプラグ。
【請求項８】
光ファイバを挿入するための光ファイバ挿入孔が設けられたフェルール用筒状体及び該フェルール用筒状体の後端部に設けられたつば部を有するフェルール組立体と、該フェルール組立体を先端部側へ押圧する圧縮ばねと、前記フェルール組立体及び前記圧縮ばねとを内部に保持する光コネクタ用ハウジングとからなる光コネクタプラグ用組立体において、
前記光コネクタ用ハウジングと前記フェルール組立体との間に介装され且つ前記つば部と相互に係合して前記フェルール組立体に対する相対的な回転が規制されるが当該フェルール組立体と共に前記光コネクタ用ハウジングの中で回転可能な位置決め部材を具備し、該位置決め部材は前記光コネクタ用ハウジングに対して固定可能に設けられていることを特徴とする光コネクタプラグ用組立体。
【請求項９】
請求項８において、前記位置決め部材は、前記フェルール組立体と共に回転されて前記光ファイバ挿入孔の前記フェルール用筒状体の外径中心に対する偏心を所定位置に位置決めした後に前記光コネクタ用ハウジングに対して固定されることを特徴とする光コネクタプラグ用組立体。
【請求項１０】
請求項８又は９において、前記位置決め部材は、前記光コネクタ用ハウジングに固定された後も前記フェルール用組立体の前記圧縮ばねが縮む方向の動きを規制しないことを特徴とする光コネクタプラグ用組立体。
【請求項１１】
請求項８〜１０の何れかにおいて、前記光コネクタ用ハウジングは、前記圧縮ばねを支持するストッパと、当該ストッパと係合するプラグハウジングとからなることを特徴とする光コネクタプラグ用組立体。
【発明の詳細な説明】
【０００１】
【発明の属する技術分野】
本発明は、光ファイバ同士を接続する際に用いられる光コネクタプラグ及び光コネクタプラグ用組立体に関する。
【０００２】
【従来の技術】
光ファイバの端部同士を光接続するのには、光ファイバの端部を固定するプラグと、そのプラグを対向する双方から嵌合するアダプタとからなる光コネクタが使用されている。
【０００３】
このような光コネクタは、例えば、ＳＣ型タイプや、ＭＵ型タイプ等、いろいろな型式のものがあるが、光接続する際に少しでも挿入損失（光信号の損失）がないようにと偏心アジャストを行っている。
【０００４】
ここで、図１３を参照して、偏心アジャストについて説明をする。なお、図１３は、従来の偏心アジャスト装置及びアジャスト用フェルールの端面を示す図である。
【０００５】
図１３（ａ）及び（ｂ）に示すように、偏心アジャスト装置１００は、光源１０１と、アジャストコード１０２を介して光源１０１と連絡され所定方向に光軸を偏心させたアジャストプラグ１０３と、アジャストプラグ１０３とフェルール１０４とを相対向して係合するアダプタ１０５と、光量を測定する光パワーメータ１０６とを備えている。そして、このアダプタ１０５のフェルール１０４側には、キー溝１０７と係合するキー（図示せず）がアジャストプラグ１０３の偏心方向を示すように一つ設けられている。
【０００６】
このように構成されている偏心アジャスト装置１００には、キー溝１０７にキーを合わせてフェルール１０４をアダプタ１０５に係合させると共に、フェルール１０４に挿入保持された光ファイバ１０８に被覆を施した光ファイバ心線１０９を光パワーメータ１０６に連結してセットする。そして、光源１０１の点灯を開始して光パワーメータ１０６の値を読む。
【０００７】
次に、フェルール１０４をアダプタ１０５から抜き取って９０°回転させて再びアダプタ１０５に係合させて光パワーメータ１０６の値を読む。
【０００８】
この手順をさらに２回繰り返し、光パワーメータ１０６の値が最大（光量が最大）となるときのキー溝１０７にマークを付しておく。
【０００９】
そして、図示しないが、偏心方向を示すキーが設けられた、ＳＣ型タイプやＭＵ型タイプ等の所望した外観形状のハウジングに、マークを付したキー溝１０７とキーとが一致するように組み立てる。
【００１０】
このように、従来では、偏心アジャストを行うことで所定量光軸を偏心させたアジャストプラグ１０３を基準とした挿入損失の少ない光コネクタプラグが大量に生産され、その光コネクタプラグ同士を使用することにより常に安定した挿入損失の光接続が達成できるようになっている。
【００１１】
しかしながら、さらなる挿入損失の少ない光接続を達成するためには、アジャストプラグ１０３を基準として、キー係合によって９０°毎に光量を測定し、その中で挿入損失の最も小さいときのキー溝１０７で偏心方向を決定する方法では達成することはできない。
【００１２】
そこで、このような問題を解決するために、バヨネット着脱式やネジ式を採用した光コネクタや、光ファイバを挿入保持するための光ファイバ挿入孔の偏心方向を視認可能なフェルールを用いた光コネクタプラグ等が提案されている（例えば、特許文献１及び２）。
【００１３】
前者の光コネクタでは、光コネクタプラグを連続的に回転させて接続損失の少ない最適相対位置角度を決定して一対のフェルールに挿入保持された光ファイバのコアの軸ズレ等を調整し、その位置関係を保ってバヨネット着脱式やネジ式を利用して相互に連結する機構を採用している。このため、必要により光コネクタプラグを外して再度固定したときにも、バヨネット着脱式やネジ式により最適相対位置角度を再現することができる。
【００１４】
一方、後者の光コネクタプラグでは、光ファイバを固着する前の段階で光ファイバ挿入孔の外径中心に対する偏心方向を示したマーキング等の指標部がフェルール用筒状体の外周面に表示されている。このため、フェルール用筒状体に表示された指標部により光ファイバの偏心方向を視認しながら光コネクタプラグを組み立てることができる。
【００１５】
【特許文献１】
特公平０４−６９３６９号公報（第３−５頁、第１図及び第４図）
【００１６】
【特許文献２】
特開平１１−３０５０６８号公報（第４頁、第４図）
【００１７】
【発明が解消しようとする課題】
しかしながら、上述した前者の光コネクタプラグでは、フェルールを前方へ押圧する圧縮ばねやネジ等によりフェルールの軸方向の調整を行っているため、圧縮ばねのばね定数のバラツキや、ネジのガタ等の影響により最適相対位置角度がズレてしまい、例えば、挿入損失の増大や反射減衰量が小さくなる等の光学特性の低下を招いてしまうという問題がある。
【００１８】
また、後者のフェルールでは、フェルール用筒状体に設けられた指標部とつば部材のキー溝とを高精度に位置合わせする必要があり、フェルールの組立作業が煩雑化するという問題がある。このため、指標部とキー溝との相対位置がズレることにより、光コネクタプラグとフェルールとの相対的な位置精度がバラついてしまい、結果的に、上述した光学特性の低下を招いてしまうという問題がある。
【００１９】
本発明は、このような事情に鑑み、組立状態で光ファイバのコア偏心の調整をすることができる光コネクタプラグ及び光コネクタプラグ用組立体を提供することを課題とする。
【００２０】
【課題を解決するための手段】
上記課題を解決する本発明の第１の態様は、光ファイバを保持するフェルール用筒状体及び該フェルール用筒状体の後端部に設けられたつば部を有するフェルールと、該フェルールを先端部側へ押圧する圧縮ばねと、前記フェルール及び前記圧縮ばねとを内部に保持する光コネクタ用ハウジングとからなる光コネクタプラグにおいて、前記光コネクタ用ハウジングと前記フェルールとの間に介装され且つ前記つば部と相互に係合して前記フェルールに対する相対的な回転が規制されるが当該フェルールと共に前記光コネクタ用ハウジングの中で回転可能な位置決め部材を具備し、該位置決め部材は前記光コネクタ用ハウジングに対して固定可能に設けられていることを特徴とする光コネクタプラグにある。
【００２１】
本発明の第２の態様は、第１の態様において、前記位置決め部材は、前記フェルールと共に回転されて前記光ファイバのコア偏心を所定位置に位置決めした後に前記光コネクタ用ハウジングに対して固定されることを特徴とする光コネクタプラグにある。
【００２２】
本発明の第３の態様は、第１の態様において、前記光ファイバは偏波保存光ファイバであり、前記位置決め部材は、前記フェル−ルとともに回転されて前記偏波保存光ファイバの偏波面方向を所定位置に位置決めした後に前記光コネクタ用ハウジングに対して固定されることを特徴とする光コネクタプラグにある。
【００２３】
本発明の第４の態様は、第１〜３の何れかの態様において、前記位置決め部材は、前記光コネクタ用ハウジングに固定された後も前記フェルールの前記圧縮ばねが縮む方向の動きを規制しないことを特徴とする光コネクタプラグにある。
【００２４】
本発明の第５の態様は、第１〜４の何れかの態様において、前記光コネクタ用ハウジングは、前記圧縮ばねを支持するストッパと、当該ストッパと係合するプラグハウジングとからなることを特徴とする光コネクタプラグにある。
【００２５】
本発明の第６の態様は、第１〜５の何れかの態様において、前記つば部はキー溝を具備し、前記位置決め部材は前記キー溝と係合する係合突起を具備していることを特徴とする光コネクタプラグにある。
【００２６】
本発明の第７の態様は、第１〜５の何れかの態様において、前記つば部は外周部に多面体を具備し、前記位置決め部材は前記多面体と係合する係合突起を具備していることを特徴とする光コネクタプラグにある。
【００２７】
本発明の第８の態様は、光ファイバを挿入するための光ファイバ挿入孔が設けられたフェルール用筒状体及び該フェルール用筒状体の後端部に設けられたつば部を有するフェルール組立体と、該フェルール組立体を先端部側へ押圧する圧縮ばねと、前記フェルール組立体及び前記圧縮ばねとを内部に保持する光コネクタ用ハウジングとからなる光コネクタプラグ用組立体において、前記光コネクタ用ハウジングと前記フェルール組立体との間に介装され且つ前記つば部と相互に係合して前記フェルール組立体に対する相対的な回転が規制されるが当該フェルール組立体と共に前記光コネクタ用ハウジングの中で回転可能な位置決め部材を具備し、該位置決め部材は前記光コネクタ用ハウジングに対して固定可能に設けられていることを特徴とする光コネクタプラグ用組立体にある。
【００２８】
本発明の第９の態様は、第８の態様において、前記位置決め部材は、前記フェルール組立体と共に回転されて前記光ファイバ挿入孔の前記フェルール用筒状体の外径中心に対する偏心を所定位置に位置決めした後に前記光コネクタ用ハウジングに対して固定されることを特徴とする光コネクタプラグ用組立体にある。
【００２９】
本発明の第１０の態様は、第８又は９の態様において、前記位置決め部材は、前記光コネクタ用ハウジングに固定された後も前記フェルール用組立体の前記圧縮ばねが縮む方向の動きを規制しないことを特徴とする光コネクタプラグ用組立体にある。
【００３０】
本発明の第１１の態様は、第８〜１０の何れかの態様において、前記光コネクタ用ハウジングは、前記圧縮ばねを支持するストッパと、当該ストッパと係合するプラグハウジングとからなることを特徴とする光コネクタプラグ用組立体にある。
【００３１】
かかる本発明では、光コネクタ用ハウジングとフェルールとの間に介装され、且つつば部と相互に係合してフェルールに対する相対的な回転が規制されるがフェルールと共に光コネクタ用ハウジングの中で回転可能な位置決め部材を具備し、位置決め部材は光コネクタ用ハウジングに対して固定可能に設けることにより、光コネクタプラグの全ての構成部品を組み立てた後に、フェルールを位置決め部材と共に回転させて光ファイバのコア偏心あるいは偏波保存光ファイバの偏波面方向を所定位置に位置決めすることができる。
【００３２】
【発明の実施の形態】
以下、本発明を実施形態に基づいて詳細に説明する。
【００３３】
（実施形態１）
図１は、本発明の実施形態１に係る光コネクタプラグの組立斜視図であり、図２は、光コネクタプラグの分解斜視図であり、図３は、光コネクタプラグの側面図及び断面図である。
【００３４】
本実施形態の光コネクタプラグ１０は、図示するように、例えば、ＬＣ型光コネクタプラグであり、プラグハウジング１１と、このプラグハウジング１１内に保持されるフェルール用筒状体１２及びつば部材１３からなるフェルール１４と、このフェルール１４のつば部材１３と相互に係合し合う位置決め部材１５と、つば部材１３の後端側の外周部に装着される圧縮ばね１６と、この圧縮ばね１６を介してつば部材１３の後端側に嵌合するストッパ１７とを具備する。
【００３５】
このような光コネクタプラグ１０では、プラグハウジング１１に、フェルール１４、位置決め部材１５、圧縮ばね１６及びストッパ１７を順次挿入し、ストッパ１７の係止爪１７ａをプラグハウジング１１の係止孔１１ａに係止することによってストッパ１７がプラグハウジング１１に固定され、フェルール１４はプラグハウジング１１内に圧縮ばね１６を介して軸方向に付勢保持される。
【００３６】
なお、本実施形態では、このようなプラグハウジング１１及びストッパ１７により、フェルール１４を内部に保持する光コネクタ用ハウジングが構成される。
【００３７】
また、プラグハウジング１１の後方には、光ファイバ心線４を保護して、変形による断線等を防止するブーツ１８が設けられている。そして、光コネクタプラグ１０の先端部側には、フェルール１４の先端面を保護するためのゴム等で形成された保護キャップ１９が取付けられる。
【００３８】
さらに、本実施形態では、プラグハウジング１１の外周面には、図示しないＬＣ型光コネクタアダプタとの係合及びその解除を行うための、いわゆるラッチ２０がプラグハウジング１１に一体的に設けられている。このラッチ２０は、プラグハウジング１１の先端部から後端部に向かって徐々にプラグハウジング１１の外表面から離れるように傾斜して延設される支持部２１と、この支持部２１の先端部の表面にプラグハウジング１１の外表面とは反対側に向かって所定量突出した突起部２２とを有する。
【００３９】
また、支持部２１の延設方向略中央部の幅方向両側面には、それぞれ係止突起２３が設けられており、この係止突起２３を介して光コネクタプラグ１０がＬＣ型光コネクタアダプタに係合するようになっている。
【００４０】
さらに、プラグハウジング１１の表面側、例えば、本実施形態では、上述したラッチ２０が設けられた表面側には、プラグハウジング１１と位置決め部材１５とを接着固定するための接合穴２４が設けられている。そして、この接合穴２４には、図３（ｂ）に示すように、プラグハウジング１１内でフェルール１４を位置決め部材１５と共に回転させて所定位置に位置決めした後に接着剤２５を注入し、プラグハウジング１１と位置決め部材１５とを接着固定するようになっている。
【００４１】
このような光コネクタプラグ１０の一部品であるフェルール１４について図４を参照して説明する。なお、図４は、フェルールの概略図であって、（ａ）が斜視図であり、（ｂ）が断面図であり、（ｃ）が光ファイバ端面を示す図である。
【００４２】
図４に示すように、フェルール１４は、本実施形態では、光ファイバ１を保持するフェルール用筒状体１２と、フェルール用筒状体１２の一端部に固着されたつば部材１３とから構成されている。
【００４３】
フェルール用筒状体１２は、略円筒形状を有し、その内部には軸方向に貫通して光ファイバ１を挿入保持する光ファイバ挿入孔２６が設けられている。この光ファイバ挿入孔２６の後端部には、内径が開口側に向かって漸大するテーパ部２７が設けられている。
【００４４】
一方、つば部材１３は、フェルール用筒状体１２の一端部を嵌合させる嵌合孔２８と、光ファイバ１の外周に被覆を施した光ファイバ心線４を挿入保持する光ファイバ心線挿入孔２９と、嵌合孔２８が開口する側の外周に円周方向に亘って半径方向に所定量突出するように設けられたつば部３０とを有する。
【００４５】
また、つば部３０には、所定の深さのキー溝３１がその円周方向に亘って９０°間隔で４箇所に設けられている。なお、このようなキー溝３１の数、位置、深さ及び形状等は、特に限定されず、フェルール１４を位置決めさせるプラグハウジング１１に応じて適宜決定すればよい。
【００４６】
さらに、フェルール用筒状体１２の光ファイバ挿入孔内２６に固定された光ファイバ１は、図４（ｃ）に示すように、コア２と、このコア２を覆うクラッド３とから構成されている。そして、光ファイバ１のコア偏心とは、フェルール用筒状体１２の外径中心に対するコア２の偏心のことである。
【００４７】
ここで、図５及び図６を参照して、このようなフェルール１４のつば部３０に係合する位置決め部材１５について説明する。なお、図５は、位置決め部材の概略図であって、（ａ）が斜視図であり、（ｂ）が平面図であり、（ｃ）がＢ−Ｂ′断面図である。また、図６は、図３（ｂ）のＡ−Ａ′断面図である。
【００４８】
図５に示すように、位置決め部材１５は、円筒形状を有し、その軸方向に貫通して設けられた貫通孔３２と、この貫通孔３２の一方の開口縁部に相対向して設けられた一対の係合突起３３とを具備する。
【００４９】
また、位置決め部材１５の内径、すなわち、貫通孔３２の内径はフェルール用筒状体１２の外径より大きい。
【００５０】
このような位置決め部材１５は、貫通孔３２の一方の開口部側からフェルール用筒状体１２に挿入して、一対の係合突起３３がつば部３０のキー溝３１に係合するようになっている。その後、位置決め部材１５は、フェルール１４と係合し合った状態でプラグハウジング１１内に挿入される。そして、プラグハウジング１１に、圧縮ばね１６及びストッパ１７を挿入し、このストッパ１７にブーツ１８を圧入して装着する。なお、実際には、これら圧縮ばね１６、ストッパ１７、及びブーツ１８を光ファイバ心線４に予め挿通させておく。
【００５１】
このような位置決め部材１５は、フェルール１４のつば部３０、すなわち、キー溝３１に係合突起３３が係合してフェルール１４に対する相対的な回転は規制されるが、フェルール１４と共にプラグハウジング１１の中で回転可能である。
【００５２】
したがって、このような光コネクタプラグ１０では、フェルール１４が回転自在であるため、全構成部品の組立後に光ファイバ１のコア偏心を所定位置に位置決めすることができる。
【００５３】
これにより、図６に示すように、プラグハウジング１１内でフェルール１４と共に位置決め部材１５が回転自在な光コネクタプラグ１０が組み立てられる。
【００５４】
ここで、光ファイバ１のコア偏心の位置決め方法としては、例えば、フェルール１４の端面を顕微鏡にて観察する方法、またはアジャストコードを用いて光学特性を測定する偏心アジャスト等が挙げられ、本実施形態では、偏心アジャストを用いた。
【００５５】
このような偏心アジャストでは、基本的には、従来技術で述べた偏心アジャスト装置を用いて行われるが、本実施形態では、アジャストプラグに対してプラグハウジング１１内でフェルール１４が回転自在の光コネクタプラグ１０を対向接続させる点で異なる。
【００５６】
具体的には、光コネクタプラグ１０を組み立てた後にアジャストプラグを基準としてフェルール１４を回転させながらパワーメータの値が最大、すなわち、光量が最大となる所定位置でプラグハウジング１１に設けられた接合孔２４内に接着剤２５を注入し、フェルール１４と位置決め部材１５とを接着固定する。
【００５７】
これにより、アジャストプラグを基準として光ファイバ１のコア偏心が所定位置に位置決めされた光コネクタプラグ１０が完成する。
【００５８】
そして、このようなプラグハウジング１１に固定された位置決め部材１５は、フェルール１４の軸周りの回転方向の移動は規制しているが、フェルール１４の圧縮ばね１６が縮む方向の動きは規制しないようになっている。したがって、位置決め部材１５の固定後は、フェルール１４はプラグハウジング１１に対して回転しない。
【００５９】
また、本実施形態のように、プラグハウジング１１と位置決め部材１５との固定に接着剤を用いたとしても、光コネクタプラグ１０の使用時等にフェルール１４が軸周りに回転する方向には力がかからないため、プラグハウジング１１と位置決め部材１５との接合強度は十分に確保される。
【００６０】
以上説明したように、本実施形態の光コネクタプラグ１０では、プラグハウジング１１とフェルール１４との間に介装され、且つつば部３０と相互に係合してフェルール１４に対する相対的な回転が規制されるがフェルール１４と共にプラグハウジング１１の中で回転可能な位置決め部材１５を具備し、位置決め部材１５はプラグハウジング１１に対して固定可能に設けるようにしたので、光コネクタプラグ１０の全ての構成部品を組み立てた後に、フェルール１４を位置決め部材１５と共に回転させて光ファイバ１のコア偏心を所定位置に位置決めすることができる。
【００６１】
また、このような光コネクタプラグ１０を大量生産でき且つこれら光コネクタプラグ１０同士を光接続するようにすれば、例えば、０．１ｄＢ以下の比較的低い挿入損失での光接続を行うことができると共に常に安定した挿入損失の光接続を達成することができる。
【００６２】
さらに、本実施形態での偏心アジャストでは、プラグハウジング１１内でフェルール１４が回転自在であるので、例えば、つば部のキー溝の設置数により回転角度が決定される従来の偏心アジャストでフェルールを組み立てるよりも、光ファイバ１のコア偏心を更に細かく調整できる。
【００６３】
なお、フェルール１４の組立工程での偏心アジャストを省略することができるため、歩留まりを向上できるという効果もある。
【００６４】
（実施形態２）
図７は、実施形態２に係る光コネクタプラグの分解斜視図であり、図８は、その断面図である。なお、上述した実施形態１と同一の構成部分には、同一符号を付して重複する説明は省略する。
【００６５】
本実施形態の光コネクタプラグ１０Ａは、ＭＵ型の光コネクタプラグであり、図示するように、位置決め部材１５Ａをプラグハウジング１１に固定するのではなく、プラグフレーム４０に固定するようにした以外は、上述した実施形態１と同様である。
【００６６】
このような構成の光コネクタプラグ１０Ａによっても、勿論、実施形態１と同様に、位置決め部材１５Ａの固定前は、プラグフレーム４０内でフェルール１４が回転自在であるため、光ファイバ１のコア偏心を所定位置に位置決めすることができ、上述した実施形態１と同様の効果を得ることができる。
【００６７】
なお、その後は、位置決め部材１５Ａをプラグフレーム４０に固定した後、そのプラグフレーム４０にプラグハウジング１１を装着して、光コネクタプラグ１０Ａが完成する。
【００６８】
（実施形態３）
図９は、実施形態３に係る光コネクタプラグの分解斜視図であり、図１０は、その断面図である。なお、上述した実施形態１と同一の構成部分には、同一符号を付して重複する説明は省略する。
【００６９】
本実施形態の光コネクタプラグ１０Ｂは、図示するように、上述した実施形態１と同型のＬＣ型光コネクタプラグであり、つば部３０Ｂの先端部側の端面を多面体とし、且つこのつば部材３０Ｂの形状に係合する位置決め部材１５Ｂを具備する。
【００７０】
また、つば部３０Ｂの先端面、すなわち、フェルール１４Ｂの先端部側の端面は、その外周縁部を円周方向に所定角度ずつ面取りして多面体、例えば、本実施形態では、六面体とした。そして、本実施形態では、図１０（ｃ）に示すように、位置決め部材１５Ｂの一端部側の貫通孔３２の内面には、つば部３０Ｂの先端面に係合する六面体の係合突起３３Ｂを設けた以外は、上述した実施形態１と同様である。
【００７１】
このような構成の光コネクタプラグによっても、勿論、上述した各実施形態と同様に、位置決め部材１５Ｂの固定前は、プラグハウジング１１内でフェルール１４が回転自在であるため、光ファイバ１のコア偏心を所定位置に位置決めすることができ、上述した実施形態１と同様の効果を得ることができる。
【００７２】
（実施形態４）
図１１は、実施形態４に係る光コネクタプラグの分解斜視図である。なお、上述した各実施形態と同一の構成部分には、同一符号を付して重複する説明は省略する。
【００７３】
本実施形態の光コネクタプラグ１０Ｃは、ＳＣ型の光コネクタプラグであり、図示するように、フェルール１４の先端部側からつば部３０に位置決め部材１５Ｃを係合させるのではなく、つば部３０の後端部側から位置決め部材１５Ｃを係合させ、光ファイバ１のコア偏心を所定位置に位置決めした後にストッパ１７に対して固定するようにした以外は、上述した各実施形態と同様である。
【００７４】
このような構成の光コネクタプラグ１０Ｃによっても、勿論、上述した各実施形態と同様に、位置決め部材１５Ｃの固定前は、プラグフレーム４０内でフェルール１４が回転自在であるため、光ファイバ１のコア偏心を所定位置に位置決めすることができ、上述した各実施形態と同様の効果を得ることができる。
【００７５】
（実施形態５）
図１２は、実施形態５に係る光コネクタプラグ用組立体の断面図である。なお、上述した各実施形態と同一の構成部分には、同一符号を付して重複する説明は省略する。
【００７６】
図１２（ａ）に示すように、本実施形態の光コネクタプラグ用組立体５０は、上述した実施形態１の光ファイバ１及び光ファイバ心線４を具備していない。
【００７７】
すなわち、光コネクタプラグ用組立体５０は、光ファイバ１を挿入保持していないフェルール組立体６０を予め用意しておき、上述した各実施形態と同様に、プラグハウジング１１内に、位置決め部材１５、フェルール組立体６０、圧縮ばね１６、及びストッパ１７等を順次挿入して組み立てたものである。
【００７８】
そして、本実施形態では、位置決め部材１５をプラグフレーム１１に接合孔２４を介して接合する前に、光ファイバ挿入孔２６の偏心を所定位置に位置決めするようにした。
【００７９】
なお、このような光ファイバ挿入孔２６の偏心は、例えば、フェルール組立体６０の端面を顕微鏡にて観察する方法や、光ファイバ挿入孔２６内に光を通してパワーメータ等にて光量の強さを測定しながら位置決めする。
【００８０】
そして、その後は、図１２（ｂ）に示すように、ストッパ１７の後方から光ファイバ心線４の先端の被覆を除去した光ファイバ１を挿入し、例えば、接着剤等を用いて接着固定する。その後、フェルール用筒状体１２及び光ファイバ１の端面を研磨することにより、図１２（ｃ）に示すような光コネクタプラグ１０が完成する。
【００８１】
このように、本実施形態では、光ファイバ１が挿入保持されていない光コネクタプラグ用組立体５０を組み立てた後でもプラグハウジング１１内でフェルール組立体６０が位置決め部材１５と共に回転自在であるので、光ファイバ挿入孔２６の偏心を所定位置に位置決めすることができる。そして、その後に、光ファイバ挿入孔２６内に光ファイバ１を接着固定すれば、光ファイバ挿入孔２６の偏心が所定位置に位置決めされているので、光ファイバ１のコア偏心を所定位置に位置決めすることができる。
【００８２】
なお、本実施形態の光コネクタプラグ用組立体５０は、光ファイバ挿入孔２６の偏心を所定位置に位置決めしたものであるので、光ファイバ１を接着固定していないものをユーザ側へそのまま提供してもよい。
【００８３】
（他の実施形態）
以上、本発明の各実施形態を説明したが、光コネクタプラグの基本的構成は上述したものに限定されるものではない。
【００８４】
例えば、上述した各実施形態では、ＬＣ型，ＭＵ型，ＳＣ型等の光コネクタプラグ１０，１０Ａ，１０Ｂ，１０Ｃを例示したが、これに限定されず、例えば、ＦＣ型やＳＴ型等の光コネクタプラグにも適用できる。
【００８５】
また、上述した各実施形態では、シングルモード（ＳＭ）の光ファイバ１を例示したが、これに限定されず、偏波保存に優れた特性を有する偏波保存光ファイバ、例えばＰＡＮＤＡ型偏波保存光ファイバ等にも適用できる。また例えば、ＰＡＮＤＡ型等の偏波保存光ファイバの場合には、その端面の応力付与部位置を観察することによりその偏波面方向を特定し、位置決め部材を所定位置に位置決めする。
【００８６】
さらに、上述した各実施形態では、一対の係合突起を有する位置決め部材を例示したが、これに限定されず、少なくとも一つの係合突起を有する位置決め部材であってもよく、または、つば部に凸部を設けて、位置決め部材にこの凸部に係合する凹部を設けるようにしてもよい。何れにしても、位置決め部材とフェルールとは、相互に係合し合う構造を有していれば特に限定されるものではない。
【００８７】
なお、上述した各実施形態では、位置決め部材とプラグハウジング又はプラグフレームとを接合孔を介して接着剤により固定したが、勿論これに限定されず、固定ピン（図示なし）等により位置決め部材をプラグハウジングやプラグフレーム、あるいはストッパ等に固定してもよい。
【００８８】
【発明の効果】
以上説明したように、本発明によれば、光コネクタ用ハウジングとフェルールとの間に介装され且つつば部と相互に係合してフェルールに対する相対的な回転が規制されるがフェルールと共に光コネクタ用ハウジングの中で回転可能な位置決め部材を具備し、位置決め部材は光コネクタ用ハウジングに対して固定可能に設けるようにしたので、光コネクタプラグの全ての構成部品を組み立てた後に、フェルールを位置決め部材と共に回転させて光ファイバのコア偏心あるいは偏波保存光ファイバの偏波面方向を所定位置に位置決めすることができる。
【図面の簡単な説明】
【図１】本発明の実施形態１に係る光コネクタプラグの斜視図である。
【図２】本発明の実施形態１に係る光コネクタプラグの分解断面図である。
【図３】本発明の実施形態１に係る光コネクタアダプタを示す断面図である。
【図４】本発明の実施形態１に係るフェルールの概略図であって、（ａ）が斜視図であり、（ｂ）が断面図であり、（ｃ）が光ファイバ端面を示す図である。
【図５】本発明の実施形態１に係る位置決め部材の概略図であって、（ａ）が斜視図であり、（ｂ）が平面図であり、（ｃ）がＢ−Ｂ′断面図である。
【図６】本発明の実施形態１に係る図３（ｂ）のＡ−Ａ′断面図である。
【図７】本発明の実施形態２に係る光コネクタプラグの分解斜視図である。
【図８】本発明の実施形態２に係る光コネクタプラグの断面図である。
【図９】本発明の実施形態３に係る光コネクタプラグの分解斜視図である。
【図１０】本発明の実施形態３に係る光コネクタプラグの断面図である。
【図１１】本発明の実施形態４に係る光コネクタプラグの分解斜視図である。
【図１２】本発明の実施形態５に係る光コネクタプラグ用組立体の断面図である。
【図１３】従来の偏心アジャスト装置及びアジャスト用フェルールの端面を示す図である。
【符号の説明】
１０　光コネクタプラグ
１１　プラグハウジング
１２　フェルール用筒状体
１３　つば部
１４　フェルール
１５　位置決め部材
１６　圧縮ばね
１７　ストッパ
１８　ブーツ
１９　保護キャップ
２０　ラッチ
２１　支持部
２２　突起部
２３　係止突起
３２　貫通孔
３３　係合突起
５０　光コネクタプラグ用組立体
【図１】
2004126371.tif 000003
【図２】
2004126371.tif 000004
【図３】
2004126371.tif 000005
【図４】
2004126371.tif 000006
【図５】
2004126371.tif 000007
【図６】
2004126371.tif 000008
【図７】
2004126371.tif 000009
【図８】
2004126371.tif 000010
【図９】
2004126371.tif 000011
【図１０】
2004126371.tif 000012
【図１１】
2004126371.tif 000013
【図１２】
2004126371.tif 000014
【図１３】
2004126371.tif 000015